(57)【要約】      （修正有）【課題】一々魚の当たりに合わせなくても釣り上げることのでき、のんびりとした魚釣りのできる魚釣り用の仕掛け具を提供。【解決手段】浮体１と重り２の間を幹糸３で繋ぐと共に、前記、幹糸３の適所に、水溶液が入った袋体４を固着し、併せて、前記、袋体４を覆設する状態に風船６を、前記、幹糸３の適所に固着すると共に、先端に釣針９と、中間部に浮遊体８を設けた針素７を、前記、風船６の表面に固着し、更には、前記、風船６の内側に針素７の続きを固着して延長させ、その延長した針素７の中間を、前記、袋体４の表面に貼着し、かつ、その針素７の他端を前記、幹糸３の適所に繋着し、併せて、前記、風船６内の下部に気体発生剤１０を納置したものである魚釣り用仕掛け具。【選択図】図１
2007236370.tif 000002
【特許請求の範囲】
【請求項１】
浮体（１）と重り（２）の間を幹糸（３）で繋ぐと共に、前記、幹糸（３）の適所に、水溶液（５）が入った袋体（４）を固着し、併せて、前記、袋体（４）を覆設する状態に風船（６）を、前記、幹糸（３）の適所に固着すると共に、先端に釣針（９）と、中間部に浮遊体（８）を設けた針素（７）を、前記、風船（６）の表面に固着し、更には、前記、風船（６）の内面に針素（７）の続きを固着して延長させ、その針素（７）を前記、袋体（４）の表面に貼着し、かつ、その針素（７）の他端を前記、幹糸（３）に繋着し、併せて、前記、風船（６）内の下部に気体発生剤（１０）を納置したことを特徴とする魚釣り用仕掛け具。
【請求項２】
風船（６）の近傍に電波発信機（１１）を添設したものである請求項１記載の魚釣り用仕掛け具。
【発明の詳細な説明】
【技術分野】
【０００１】  本発明は、魚が針素を引くと袋体が破れて中の水溶液が気体発生剤を浸漬し、発生する気体で風船を膨らまし、魚を水上に浮上させて捕獲する魚釣り用仕掛け具に関する。
【背景技術】
【０００２】  日本人にとって魚釣りは、古来から大衆娯楽として時代と共に変遷してきたことは紛れも無い事実である。本来、魚釣りは日常の社会生活の緊張感から解放され、たとえ一時でも気分転換を図り、精神衛生の回復を図ることが主たる目的として、その副次的成果として新鮮な海産物を食卓に乗せれればそれに越したことはないとの目的も一般的には有していたに違いない。しかし、昨今の魚釣りは、こうした初期の目的が達成されるものになっているであろうか？
また、一般的な魚釣りとしてポピュラーな投げ竿釣りにあって、従来の投げ釣りは道糸の長さの限界によって、どのようなところでも魚釣りができないという制限を受ける不便さを感じる釣り人も沢山いたに違いない。
【発明の開示】
【発明が解決しようとする課題】
【０００３】  魚釣りは、男女、子供、成人、高齢者にかかわらず、のんびりと魚釣りでもしよう、というような風習として日本人の大衆娯楽として定着してきた。とりわけ、緊張した生活の連続を余儀なくされる日常の社会生活から解放されるために、魚釣りをするという人も少なくなかった。しかし、最近の魚釣りでは、昔と比べて魚が少なくなってきたためか、魚が釣れないことが多くなってきた。従って、魚を釣り上げるためには、魚の当たりに合わせて釣り竿を引いていたのでは遅れを取るとばかりに、魚の当たりが来る前に、当たりを誘発する釣り行動に終始するような釣りなどをしている。今日の釣りはのんびりと釣りを楽しみ、精神的にリラックスするような魚釣りはできなくなっている。このような魚釣りをするなら、かえってストレスが高じることになり、精神衛生的にも逆効果を招きかねない状況に至っているのが現状である。本発明は昨今のかかる状况の打破を図るために開発したものであり、一々魚の当たりに合わせなくても釣り上げることのでき、のんびりとした魚釣りのできる魚釣り用の仕掛け具を提供しようとするものである。【０００４】  また、同時に従来の魚釣りは、釣り竿に、道糸を繰り出したり、巻き取ったりできるリールをセットし、道糸の先には幹糸と針素を繋ぎ、釣針に餌をつけ、投げ釣りや船釣りを楽しむのが一般的であった。従って、その魚釣りは、道糸の長さで制限を受けるものであった。道糸は長くすれば長くするほどよいというものではなく、長くすればそれなりの潮の流れの抵抗を受け、糸を巻くのに強力な力が必要になり、限界のあるものであった。従い、これまでの釣りでは深海の魚を釣り上げることなどは、不可能に限りなく近いものであった。本発明は、かかる従来の魚釣りの限界に対してもその解消を図る目的を持って、道糸がなくても魚を釣れるという、画期的な風船６による魚釣りができる魚釣り用仕掛け具を提供しょうとするものである。
【課題を解決するための手段】
【０００５】  上記目的を達成するために、本発明における魚釣り用仕掛け具、次のような構成としている。
【請求項１】
浮体１と重り２の間を幹糸３で繋ぐと共に、前記、幹糸３の適所に、水溶液５が入った袋体４を固着し、併せて、前記、袋体４を覆設する状態に風船６を、前記、幹糸３の適所に固着すると共に、先端に釣針９と、中間部に浮遊体８を設けた針素７を、前記、風船６の表面に固着し、更には、前記、風船６の内側に針素７の続きを固着して延長させ、その延長した針素７の中間を、前記、袋体４の表面に貼着し、かつ、その針素７の他端を前記、幹糸３の適所に繋着し、併せて、前記、風船６内の下部に気体発生剤１０を納置したものである。
【請求項２】
【０００６】  風船６の近傍に電波発信機１１を添設したものである請求項１記載の魚釣り用仕掛け具。
【発明の効果】
【０００７】  本発明は上記のとおり構成されているので、次に記載する効果を奏する。
１．従来のリールを用いる投げ竿釣りに繋げて用いると、従来の投げ竿釣りより釣果を挙げることができる。
２．魚釣りをするのに、魚の引きに合わせて釣り竿をしゃくる必要がなく、のんびりとした魚釣りができる。
３．テコの原理で考えると、先端の釣針９のところが作用点、針素７の中間点あたりが支点、針素７の他端を幹糸３に繋着したところが力点になり、投げ竿の場合の竿先の力点に比較し、本発明の力点が幹糸３にあり、釣針９の作用点に距離が近いことから、魚の掛りが極めて高いものになっている。
４．本発明では従来の釣りには欠かせない、釣り竿や道糸を用いなくても魚釣りができる。
５．浮体１と重り２と、比重との調節により、本魚釣り用仕掛け具はどのような海や湖水の深さにも沈めることができる。
６．深海に棲んでいる魚も釣りあげることができるので、未知の学術調査に貢献できる。
７．電波発信機１１を設けたものにあっては、水上に浮上することにより電波が発信しやすくなり、受信機を用いて発信元を探索することで、浮上させた魚を容易に捕獲することができる。
８．マグロやサメなどの体重が重く強い力の大型魚でも、風船６により水面に浮上するので、大型魚を難無く捕獲することができる。
【発明を実施するための最良の形態】
【０００８】  本発明の実施例を図面を参照に説明する。図１は、請求項１に関するもので、本発明の構造説明平面図である。本発明は、図１に示すように、浮体１と重り２の間を幹糸３で繋ぐと共に、前記、幹糸３の適所に、水溶液５が入った袋体４を固着し、併せて、前記、袋体４を覆設する状態に風船６を、前記、幹糸３の適所に固着すると共に、先端に釣針９と、中間部に浮遊体８を設けた針素７を、前記、風船６の表面に固着し、更には、前記、風船６の内側に針素７の続きを固着して延長させ、その延長した針素７の中間を、前記、袋体４の表面に貼着し、かつ、その針素７の他端を、前記、幹糸３の適所に繋着し、併せて、前記、風船６内の下部に気体発生剤１０を納置してある。【０００９】  従って、本発明の針素７の先端にある釣針９に餌をつけて水中に投ずると、幹糸３につけられている浮体１と重り２により、浮体１は浮きあがろうとするのに対し、重り２は沈もうとするために、幹糸３は常に垂直に位置することになる。この幹糸３をどの深さの水中に沈めるかは、浮体１の浮力と、重り２の重さと、水の比重との関係よって決まる。従い、理論的には前記３関係の調節により、どの深さの水中にも沈めることができる。また、針素７の中間部に浮遊体８があり、この浮遊体８は比重に合わせてあるので、水中に漂うことになり、魚が餌に食いつきやすいものになっている。【００１０】  本発明を実施すると、魚が餌に食いつくと針素７が邪魔になるために、針素７を振り払おうとして、針素７を振り動かし引っ張ることになる。すると、針素７は風船６の表面から風船６の内面に延び、その針素７が袋体４の表面に貼着していることから、魚がその針素７を引っ張ることで袋体４の表面が破れ、袋体４の中の水溶液５が風船６内の下方に落ちる。風船６内には、その下部に気体発生剤１０が納置してあるので、気体が発生して風船６を膨らませる。風船６が膨らむと、風船６は釣針９に掛かった魚と共に水上に浮上する。本実施例では、水溶液５として水を、気体発生剤１０として重曹を用いているので、水が重曹を浸漬すると、ＣＯ２が発生して風船６が膨らむ。【００１１】  また、本魚釣り用仕掛け具では、従来の投げ釣りに比較すると、釣果が著しく高いものになる。なぜならば、それをテコの原理で考えると、先端の釣針９のところが作用点、針素７の中間点あたりが支点、針素７の他端を幹糸３に繋着したところが力点である。投げ下の場合は竿先が力点であるから、竿先をしゃくって道糸を引っ張っても、道糸が長いので、作用点である釣針９は僅かに動くだけである。従い、釣針９が魚の体内に刺さる確率が低いものになっている。本発明では、そんな投げ竿釣りに比較し、力点が針素７の後端を幹糸３に繋ぎ止めたところにあり、魚が針素７を引っ張っると、力点における慣性力が引っ張っる力に変わり、釣針９が魚の体に深く刺さることになる。本発明では、このように力点と作用点の距離が近いことから、魚の掛りが極めて高いものになっている。従い、従来の投げ竿釣り比較すると魚の掛かりが著しく良く大きな違いが出る。【００１２】  本発明を実施すると、魚釣りをするのに、魚の引きに合わせて釣り竿をしゃくる必要がなく、魚釣りの最大の目的である気分の転換を図��ことができ、のんびりとした魚釣りができる。【００１３】  図２は、請求項２に関するもので、電波発信機１１の設定状態の部分説明斜視図である。本実施例では、風船６の近傍に電波発信機１１を添設してある。従って、本装置を水中に投じると、電波発信機１１から発信する電波は水中では弱いものであるが、魚が釣れて水上に浮上すると電波が強く発信するので、電波受信機を用いるとすぐに浮上場所を捜し当て浮上した魚を捕獲することができる。【００１４】  本装置を用いると、マグロやサメなどの体重が重く強い力で引っ張る大型魚でも、風船６により水向に浮上するので、大型魚を難無く捕獲することができる。これまでのマグロなとの大型魚を釣り上げるには、死に物狂いで格闘しなければならなかったが、本実施例によると風船６が大型魚を水上に浮上させてくれるので、容易に大型魚が捕獲できる。【００１５】  本発明では従来の釣りには欠かせない、釣り竿や道糸を用いなくても魚釣りができることから、どんな深いところに棲む生き物も釣り上げることができる。
深海に棲んでいる魚も釣りあげることができるので、未知の生き物も釣り上げることができることになり、学術調査に大きな貢献ができる。
【産業上の利用可能性】
【００１６】  本発明を用いることにより、深いところに棲むという大王烏賊など、未知の生物の学術調査などが進展するに違いない。地球に棲む生命の科学的調査に貢献できることを願っている。本発明が未知の生命の解明に役立つならば、発明者としてこれ以上の幸せなことはない。
【図面の簡単な説明】
【００１７】
【図１】  本発明の構造説明平面図である。
【図２】  電波発信機の設定状態の部分説明斜視図である。
【符号の説明】
【００１８】  （１）    は  浮体
（２）    は  重り
（３）    は  幹糸
（４）    は  袋体
（５）    は  水溶液
（６）    は  風船
（７）    は  針素
（８）    は  浮遊体
（９）    は  釣針
（１０）  は  気体発生剤
（１１）  は  電波発信機
【図１】
2007236370.tif 000003
【図２】
2007236370.tif 000004